(57)【要約】【課題】  廃材を分別された状態で回収できる回収装置およびこれを備えた後処理装置、画像形成装置を実現する。【解決手段】  後処理装置において、複数の回収容器６９ａ・６９ｂと、パンチ装置６０から排出されるパンチ屑を材質別に分別して、材質に応じて回収容器６９ａまたは６９ｂにパンチ屑を集める切り替えガイド６７と、を有する。【選択図】  図１
2005274622.tif 000002
【特許請求の範囲】
【請求項１】
基材に加工を加えることで廃材が発生するような加工を行う本体装置に備えられた、上記廃材を回収する回収装置において、
複数の回収容器と、
上記廃材を材質別に分別して、材質ごとに上記複数の回収容器に集める分別手段と、を有することを特徴とする回収装置。
【請求項２】
上記分別手段が廃材を回収容器に導く案内部材であり、
上記案内部材が、発生した廃材の材質に応じて変位することで、廃材を材質に応じた地点に導くことを特徴とする請求項１に記載の回収装置。
【請求項３】
上記分別手段が、廃材を回収容器に搬送する、ローラを有する搬送部材であり、
発生した廃材の材質に応じて上記搬送部材のローラ回転方向が変わることで、廃材の搬送方向を変えて、廃材を材質に応じた地点に搬送することを特徴とする請求項１に記載の回収装置。
【請求項４】
上記回収容器が、回収される廃材と同系統の材質の材料で形成されていることを特徴とする請求項１から３の何れか１項に記載の回収装置。
【請求項５】
発生頻度の高い廃材の材質のための回収容器が、発生頻度の低い廃材の材質のための回収容器より、容量が大きいことを特徴とする請求項１から４の何れか１項に記載の回収装置。
【請求項６】
上記本体装置が基材となるシートに対してパンチ処理を行う後処理装置であり、
上記廃材が、パンチ処理により発生するパンチ屑であることを特徴とする請求項１から５の何れか１項に記載の回収装置。
【請求項７】
上記分別手段が、紙からなる廃材と樹脂からなる廃材とに分別することを特徴とする請求項６に記載の回収装置。
【請求項８】
請求項１から７の何れか１項に記載の回収装置を備えたことを特徴とする後処理装置。
【請求項９】
請求項８の後処理装置を備えたことを特徴とする画像形成装置。
【発明の詳細な説明】
【技術分野】
【０００１】
本発明は、本体装置で発生する廃材を回収する回収装置、およびこれを備えた後処理装置、画像形成装置であり、特に、環境対応を図った回収装置、およびこれを備えた後処理装置、画像形成装置に関するものである。
【背景技術】
【０００２】
画像形成装置では、画像形成動作で紙等からなるシートに画像を形成し、この後体裁を整えて画像形成物を仕上げる。この過程において、例えば画像形成装置に装着される後処理装置に備えられているパンチ装置からのパンチ屑等が廃材として発生する。
【０００３】
画像形成装置において、これらの廃材は、回収容器にそれぞれ回収されるようになっている。そして、回収容器に回収された廃材は、通常その容器から廃棄処理装置やリサイクル装置に直接、あるいはさらに大きな中間搬送用の大容量の容器や袋に移し変えられて廃棄あるいはリサイクルされる。
【０００４】
パンチ屑回収容器を備えた画像形成装置としては、例えば特許文献１および２に開示がある。
【特許文献１】特開平４−３０４９９８号（公開日平成４年１０月２８日）
【特許文献２】特開２００３−２０６０６９号（公開日平成１５年７月２２日）
【発明の開示】
【発明が解決しようとする課題】
【０００５】
ところが、従来の画像形成装置では、種々の材質からなる廃材が混じって１つの回収容器に回収されてしまうという問題があった。例えばパンチ屑に関していえば、紙シートとプラスチックシートとをパンチ装置で後処理した後、回収容器にプラスチックのパンチ屑と紙のパンチ屑という、異質の廃材が回収容器にて混ざってしまう。
【０００６】
近年、環境問題を考慮して分別廃棄やリサイクルが推奨されているが、このためには、廃材を材質ごとに分別してから、廃棄あるいはリサイクルする必要がある。しかしながら、従来の画像形成装置においては上記したように異なる材質の廃材が混じった状態で回収されるため、分別が行われにくい状況にあった。すなわち、分別のためには、回収容器から同じ材質の廃材を選び出して仕分けするという煩雑な作業が必要となるが、パンチ屑はサイズが小さく、混ざってしまうと非常に分別しにくいので、実際にはほとんどが異なる材質の廃材が混ざったまま廃棄されていた。このような状況では、分別廃棄もリサイクルも行われず、環境に悪影響を与えてしまうという問題があった。
【０００７】
本発明は、上記の問題点に鑑みてなされたものであり、その目的は、廃材を分別された状態で回収できる回収装置およびこれを備えた後処理装置、画像形成装置を実現することにある。
【課題を解決するための手段】
【０００８】
本発明に係る回収装置は、上記課題を解決するために、基材に加工を加えることで廃材が発生するような加工を行う本体装置に備えられた、上記廃材を回収する回収装置において、複数の回収容器と、上記廃材を材質別に分別して材質ごとに上記複数の回収容器に集める分別手段と、を有することを特徴としている。
【０００９】
上記構成によれば、発生する廃材を材質別に回収容器に回収できるため、手間をかけずに廃材の分別回収ができる。したがって、廃材を分別廃棄あるいはリサイクルする場合にも、使用者は分別回収された廃材をそのまま移動させるだけでよく、分別廃棄やリサイクルを促進することができる。
【００１０】
なお、上記分別手段は、廃材の材質を判定する判定手段にしたがって、制御手段を介して廃材の回収先を変更することが好ましい。上記判定手段は、例えば、操作手段から送られる、使用する基材の種類や画像形成モードの設定情報、あるいは、基材の収容手段あるいは搬送路中に設けられたセンサから送られる基材の材質情報等に基づいて廃材の材質を判定できる。
【００１１】
本発明に係る回収装置は、上記課題を解決するために、上記分別手段が廃材を回収容器に導く案内部材であり、上記案内部材が、発生した廃材の材質に応じて変位することで、廃材を材質に応じた地点に導くことを特徴としている。
【００１２】
上記構成によれば、案内部材が変位することで、廃材を材質ごとに分別するので、わずかな動力で、廃材の分別回収が可能となる。
【００１３】
また、本発明に係る回収装置は、上記課題を解決するために、上記分別手段が、廃材を回収容器に搬送する、ローラを有する搬送部材であり、発生した廃材の材質に応じて上記搬送部材のローラ回転方向が変わることで、廃材の搬送方向を変えて、廃材を材質に応じた地点に搬送することを特徴としている。
【００１４】
上記構成によれば、ローラを有する搬送部材にて廃材を搬送部材の端部まで搬送するので、廃材の搬送先を材質によってある程度離れさせられる。したがって、材質の異なる廃材が混じりにくく、確実な分別が行われる。
【００１５】
本発明に係る回収装置は、上記課題を解決するために、上記回収容器が、回収される廃材と同系統の材質の材料で形成されていることを特徴としている。
【００１６】
上記の構成によれば、回収容器に回収された廃材を別の容器に移し替えることなくそのまま廃棄したりリサイクルしたりすることができ、分別回収が容易に行える。また、回収容器に回収された廃材を別容器に移し替える必要が無いため、廃材をこぼして床等に撒き散らしてしまうことがない。
【００１７】
また、本発明に係る回収装置は、上記課題を解決するために、発生頻度の高い廃材の材質のための回収容器が、発生頻度の低い廃材の材質のための回収容器より、容量が大きいことを特徴としている。
【００１８】
本体装置はある一定の加工を行うものであるため、発生する廃材は、材質に極端な偏りが生じるものと考えられる。例えば、本体装置がパンチ処理を行うもので、パンチ屑を廃材とする場合、通常、廃材のほとんどが紙材からなり、まれに樹脂からなる廃材が発生することとなる。そこで、廃材として発生頻度の高い材質（上記の例でいえば紙）のための回収容器の容量を、廃材として発生頻度の低い材質（上記の例でいえば樹脂）のための回収容器の容量より大きくすることで、限られた回収容器の設置スペース内で、より多くの廃材を分別回収できるようになる。
【００１９】
なお、本発明に係る回収装置は、上記本体装置が基材となるシートに対してパンチ処理を行う後処理装置であり、上記廃材が、パンチ処理により発生するパンチ屑であるものが挙げられる。
【００２０】
これによれば、パンチ処理を行う装置において発生するパンチ屑を、材質別に回収容器に回収できるため、手間をかけずに廃材の分別回収ができる。したがって、パンチ屑を分別廃棄あるいはリサイクルを促進することができる。
【００２１】
また、上記回収装置は、上記分別手段が、紙からなる廃材と樹脂からなる廃材とに分別することを特徴としている。
【００２２】
本体装置がパンチ処理を行うもので、パンチ屑を廃材とする場合、使用されるシートとしては、紙製のものと、ＯＨＰシートに用いられる樹脂製のものが主に考えられるので、発生する廃材も紙材あるいは樹脂となる。そこで、分別手段が廃材の材質が紙材であるか、樹脂材であるかを判断してこの２種に分別することで、ほぼ完全な分別ができると考えられる。
【００２３】
また、本発明に係る後処理装置は、上記回収装置を備えているので、上記した通り、手間をかけずに廃材の分別回収ができる。
【００２４】
また、本発明に係る画像処理装置は、上記後処理装置を備えているので、上記した通り、手間をかけずに廃材の分別回収ができる。
【発明の効果】
【００２５】
本発明に係る回収装置は、複数の回収容器と、上記廃材を材質別に分別して、材質ごとに上記複数の回収容器に集める分別手段と、を有するので、発生する廃材を材質別に回収容器に回収でき、手間をかけずに廃材の分別回収ができる。したがって、分別廃棄やリサイクルを促進することができる。
【発明を実施するための最良の形態】
【００２６】
本発明の一実施形態について図１ないし図６に基づいて説明すると以下の通りである。先ず、本発明が適用される画像形成装置の構成例を、図２および図３を参照して説明する。
【００２７】
図２に示すように、本実施の形態に係る画像形成装置１は、プリンタ部（画像形成部）２と、プリンタ部２の下に配置された給紙ユニット部３とを備えている。
【００２８】
まず、プリンタ部２について説明する。プリンタ部２の略中央の位置には、感光体ドラム４を中心とする電子写真プロセス部が配置されている。上記電子写真プロセス部は、感光体ドラム４を中心として、その周囲に帯電ユニット５、光走査ユニット６、現像ユニット７、転写ユニット８、およびクリーニングユニット９を配置した構成となっている。
【００２９】
帯電ユニット５は、感光体ドラム４の表面を均一に帯電させる。光走査ユニット６は、均一に帯電された感光体ドラム４上に光像を走査して静電潜像を書き込む。現像ユニット７は、光走査ユニット６により書き込まれた静電潜像を現像剤により顕像化する。転写ユニット８は、感光体ドラム４上に記録再現された画像を記録媒体上に転写する。クリーニングユニット９は、感光体ドラム４上に残留した現像剤を除去して、感光体ドラム４上に新たな画像を記録することができるようにする。
【００３０】
なお、このクリーニングユニット９により除去された残留現像剤は、回収経路を介して廃トナー容器２５に送られ、該廃トナー容器２５内に回収される。廃トナー容器２５内に回収された残留現像剤は、後に廃棄あるいは別の製品などにリサイクルすることができる。
【００３１】
プリンタ部２の内部の上部には、定着装置２０が配置されている。定着装置２０は、画像が転写されたシートを順次受け入れて、定着ローラと加圧ローラ等により、熱と圧力によりシート上に転写された現像画像を定着するものである。これにより、シート上に画像が記録される。
【００３２】
画像が記録されたシートは、搬送ローラによりさらに上方搬送され、排紙部２１から排紙トレイ２２に排出されるか、あるいは排紙部２１で反転し最上部に位置する搬送経路を介して排紙トレイとは反対側に搬送され、上部トレイ３１と下部トレイ３２とを備えている後処理装置３０に送られ後処理の有無に応じて後処理がなされて上部トレイ３１あるいは下部トレイ３２に排出される。
【００３３】
一方、両面画像形成が指定されている場合には、最上部に位置する搬送経路の途中から、反転搬送経路２３を通って再び画像形成部に送られ、両面に画像が形成される。
【００３４】
次に、給紙ユニット部３について説明する。給紙ユニット部３は、複数の給紙トレイ（記録媒体供給部）１１〜１４を備えている。これらの給紙トレイ１１〜１４を備えていることにより、給紙ユニット部３は、記録媒体としての多彩な用紙を例えばサイズ毎に分別して収容することができる。
【００３５】
そして、画像形成装置１は、これらの給紙トレイ１１〜１４の中から１つのトレイを選択する。さらに、画像形成装置１は、この選択されたトレイから用紙を１枚ずつ分離し、感光体ドラム４と転写ユニット８との間に供給する。そして、転写ユニット８は、供給された用紙に、感光体ドラム４上に記録再現された画像を転写する。
【００３６】
ここで、給紙トレイ１１〜１４について、より具体的に説明する。給紙トレイ１１と給紙トレイ１２とは、互いに並列配置されている。そして、給紙トレイ１１および給紙トレイ１２の下側に給紙トレイ１３が配置されており、さらに給紙トレイ１３の下側に給紙トレイ１４が配置されている。
【００３７】
また、給紙トレイ１３および給紙トレイ１４の容量は、同程度の容量とされている。さらに、給紙トレイ１１および給紙トレイ１２の容量は、給紙トレイ１３あるいは給紙トレイ１４の容量よりも大きく設定されている。
【００３８】
そして、給紙ユニット部３は、給紙トレイ１１〜１４に収容された用紙をプリンタ部２に向かって搬送するために、第１搬送経路１５と第２搬送経路１６とを備えている。なお、第１搬送経路１５は、給紙トレイ１１・１３・１４に収容された用紙をプリンタ部２に向かって搬送するものであり、第２搬送経路１６は、給紙トレイ１２に収容された用紙をプリンタ部２に向かって搬送するものである。
【００３９】
また、第１搬送経路１５は、給紙ユニット部３のフレーム１７に沿って鉛直方向に延びている。一方、第２搬送経路１６は、フレーム１７に沿って水平方向に延びている。
【００４０】
したがって、給紙ユニット部３の内部では、給紙トレイ１１〜１４と、第１搬送経路１５と、第２搬送経路１６とが効率よく配置されており、給紙ユニット部３の省スペース化が実現されている。
【００４１】
なお、各給紙トレイ１１〜１４に用紙をセットする場合は、画像形成装置１本体の前面側方向に目的の給紙トレイ１１〜１４を引き出して用紙の補給を行う。
【００４２】
第１搬送経路１５中にて用紙が詰まった場合は、第１搬送経路１５を構成するガイド１５ａ（図中斜線部で示す）を、給紙ユニット部３の奥側を支点としてユーザの手前側に回動する。これにより、第１搬送経路１５中で詰まった用紙を取り除くことができる。なお、この除去操作は、第１搬送経路１５とフレーム１７との間に予め確保されている作業空間を用いて行う。
【００４３】
また、第２搬送経路１６中にて用紙が詰まった場合も、第２搬送経路１６を構成するガイド１６ａ（図中斜線部で示す）を、給紙ユニット部３の奥側を支点として手前側に回動する。これにより、第２搬送経路１６中で詰まった用紙を取り除くことができる。なお、この除去操作は、並列配置された給紙トレイ１１および給紙トレイ１２をユーザの手前側に引き出すことにより、第２搬送経路１６の下方に作業空間を確保した上で行うこととなる。
【００４４】
なお、本実施の形態の画像形成装置１では、給紙トレイ１１・１２を同時に引き出すことができる構成としているが、必ずしもこの構成に限定されるものではなく、それぞれの給紙トレイを独立して引き出せる構成としてもよい。この場合、給紙トレイ１１を手前側に引き出すことにより、第２搬送経路１６中に詰まった用紙を取り除くための作業空間を、第２搬送経路１６の下方に確保すればよい。
【００４５】
第２搬送経路１６の下流側には、比較的少量の用紙がセットされる手差し給紙ユニット１８を設けている。この手差し給紙ユニット１８には、どちらかというと特殊な用紙がセットされる可能性が高い。これは、手差し給紙ユニット１８に対しては、手軽に用紙の交換あるいはセットができるためである。手差し給紙ユニット１８からは第３搬送経路８１を介して第２搬送経路１６に用紙を供給できるようになっている。
【００４６】
上記画像形成装置１は、さらに図２，３に示す後処理装置３０、大容量給紙ユニット７１、および図３に示す画像読取装置７２等のオプション装置を連結することでシステムアップすることが可能である。
【００４７】
上記後処理装置３０は、画像形成装置１のシート排出側に配置され、ユーザが操作部より入力設定する処理要求を画像形成装置の制御部にて判断することにより、排出されたシートに対して要求に応じた所定の後処理を施して排出する。ここで、上記後処理装置３０にて実施可能な後処理としては、ステープル処理やパンチ処理等が一般的であるが、本発明に係る後処理装置では、少なくともパンチ機能が備えられている。
【００４８】
パンチ機能を有する後処理装置３０では、排出するシートに対してパンチ処理を実行することで必ずパンチ屑が発生する。発生したパンチ屑は、後処理装置３０内で散乱しないように、切り替えガイド６７にガイドされて回収容器６９にて回収される。回収容器６９内に回収されたパンチ屑は、後に廃棄あるいはリサイクルに回される。このパンチ屑の回収部については後述する。
【００４９】
また、大容量給紙ユニット７１は、給紙ユニット部３の右側にオプション装置として連結できるようになっている。この大容量給紙ユニット７１は、その他の給紙トレイ１１〜１４に比べて、大きな容量に設定される。この場合には、大容量給紙ユニット７１から給紙された用紙は、第４搬送経路１９から第２搬送経路１６を経てプリンタ部２へと導かれるようになっている。
【００５０】
画像読取装置７０は、プリンタ部２の上方に配置され、自動又は手動にて原稿の読取りを行い、読み取った原稿の画像データをプリンタ部２に送るものである、
上記構成の画像形成装置１は、プリンタ部２に装着された画像読取装置７２にて読み込まれた画像や、画像形成装置１に外部から接続された機器（例えばパーソナルコンピュータなどの画像処理装置）からのデータを画像として記録出力することができる。
【００５１】
本発明は、後処理装置３０内のパンチ装置において発生するパンチ屑の回収部において特徴を有するものである。この特徴的構成について以下の実施の形態１ないし３にて説明する。
【００５２】
〔実施の形態１〕
本実施の形態１では、後処理装置３０内のパンチ装置において発生するパンチ屑の回収部に本発明を適用した場合を例示する。
【００５３】
後処理装置３０内に具備されるパンチ装置６０は、図１に示すように、後処理装置の搬送経路に位置し、搬送ローラ６１の間を矢印方向に通過するシートに対して１枚ずつパンチ処理を施すものである。パンチ処理を行うか否かは図示しない操作部より使用者が入力設定し、これに応じて、図示しない制御部が、搬送されるシートに対してパンチ処理を実施する。本実施の形態では、パンチ装置６０は回転ダイス６２と回転パンチ６３とを備えている。なお、回転ダイス６２と回転パンチ６３とは、それぞれハウジング６４、６５に囲まれており、このうち回転ダイス６２のハウジング６４の下面には、開口部が備えられている。
【００５４】
回転ダイス６２と回転パンチ６３とは、シートの搬送動作に合わせて回転することで、シート上の任意の位置を挟んで、回転パンチ６３の凸部６３ａと回転ダイス６２の凹部６２ａとが噛み合わせられる。これにより、シートにパンチ穴を形成する。このとき、パンチ屑は回転ダイス６２側に残るが、このパンチ屑は回転ダイス６２の図示しない開口部から抜け落ち、さらにハウジング６４の下面の開口部から排出される。
【００５５】
なお、ダイスとパンチは通常複数個備えられており、通常２個のパンチ穴が形成される。また、形成位置をシートのセンター以外とする設定ができるものでは、多数の回転パンチ６３と回転ダイス６２とをシートの搬送方向に対して直行する線上に配置したり、回転パンチ６３と回転ダイス６２を任意の箇所に移動可能としたりすることで、使用者の要望に応えることができるようになっている。
【００５６】
ハウジング６４の開口部の真下には、ソレノイドまたは実施例のモータ６６により方向が切り替わる切り替えガイド６７が設けられている。切り替えガイド６７は、パンチ屑排出位置から回収位置までパンチ屑を導くように形成されたものである。切り替えガイド６７は、一点を筐体に固定されており、モータ６６により、固定部分を支点として両方向に回転可能となっている。この回転は係止部材６８により一定位置にて止まるようになっているので、切り替えガイド６７は、右回転をした後係止された位置Ａと、左回転した後係止された位置Ｂとのどちらかに位置することになる。そして、切り替えガイド６７が、位置Ａにあるときにパンチ屑が誘導される位置に回収容器６９ａを、位置Ｂにあるときにパンチ屑が誘導される位置に回収容器６９ｂを配置しておけば、パンチ屑を２つに分けて回収できる。
【００５７】
このとき、切り替えガイド６７の位置によって、パンチ屑が回収される回収容器６９が決定するので、使用するシートの材質に応じてモータ６６により、切り替えガイド６７の位置を変えることで、パンチ屑の材質ごとに異なる回収容器６９に回収できる。本実施の形態では、モータ６６を制御して、樹脂シートが搬送された場合は切り替えガイド６７がＡの位置を取るようにし、紙シートが搬送されてきた場合は切り替えガイド６７の位置がＢとなるようにする。これにより、樹脂のパンチ屑が６９ａに、紙のパンチ屑が６９ｂに搬送されるので、パンチ屑を材質別に分別して回収できる。
【００５８】
なお、シートの材質に応じて切り替えガイド６７の位置を変更する方法としては、特に限定されるものではないが、操作部から送られる、使用するシートの種類や画像形成モードの設定情報に基づいて、制御部を介して切り替えガイド６７の位置を変更してもよい。あるいは、搬送路中等に設けられた図示しない材質判定手段（センサ）が廃材の材質を判定し、判定された材質に基づいて、制御部を介して切り替えガイド６７の位置を決定することも考えられる。例えば、画像形成時に使用者がシートの材質または画像形成モード（ＯＨＰモード、普通紙モード等）を設定し、これに応じて材質判定手段が制御部を介して切り替えガイド６７の位置を決定し、位置を変更する方法や、搬送されるシートの材質をセンサ機能を有する材質判定手段により判定し、これに応じて切り替えガイド６７の位置を変更する方法などが挙げられる。
【００５９】
本実施の形態１においては、上記回収容器６９が、回収する廃材であるパンチ屑と同質の材料にて形成されている。つまり、樹脂のパンチ屑を回収するための回収容器６９ａを樹脂材にて形成し、紙のパンチ屑を回収するための回収容器６９ｂを紙材にて形成している。
【００６０】
紙材からなる回収容器６９ｂとしては、図４に示す、上面部が開放された直方体の箱型形状となっており、さらに蓋部７０ａ，７０ｂを有しているものが挙げられる。この蓋部７０ａ，７０ｂは、パンチ屑回収後の回収容器６９ｂを廃棄する（尚、回収容器を廃棄するとは、回収した廃材を回収容器ごとリサイクルに出す、との意味を含むものとする）際に、開放されていた容器上面を閉じて密閉し、回収物であるパンチ屑が飛散するのを防止するために設けられている。また、図４の構成では、上記蓋部は２枚となっているが１枚であっても良い。また、樹脂材からなる回収容器６９ａとしては、同様の構造の回収容器を樹脂材料により金型にて成型したもの、あるいは袋状に成型されたものを回収容器として使用すればよい。
【００６１】
上記回収容器６９ａおよび６９ｂを後処理装置３０にセットするときは、該回収容器６９は容器載置台４３上に載置される。容器載置台４３は、回収容器６９を所定位置に保持するための側壁部を、それぞれの回収容器６９の側方の３方に有しているが、１方については側壁を有しない開放状態となっており、この開放方向から回収容器６９の抜き差しを行うことで、該回収容器６９の交換が容易に行えるようになっている。また、後処理装置の前パネルを開放した状態で、容器載置台４３自体をレール部材等により引出し可能な構成とし、容器載置台４３を装置手前に引出した状態で回収容器６９ｂの交換を行えるようにしても良い。
【００６２】
また、上記容器載置台４３はバネ４４によって支持されており、回収容器６９にパンチ屑が溜まって重さが増加すると、容器載置台４３ごと下降するようになっている。そして後処理装置３０は、容器載置台４３の下降量が所定量に到達したか否かをセンサにて検知し、所定量に到達したと検知された時に回収容器６９が満杯状態であることを報知し、ユーザに回収容器６９の交換を促すようになっている。
【００６３】
尚、上記回収容器６９における満杯検知に関し、センサは接触式あるいは非接触式の何れのセンサを用いてもよく、用いるセンサの種類は特に限定されない。あるいは、パンチ処理を行う用紙の枚数や厚さ等の情報から回収容器６９に回収されるパンチ屑の体積を積算していき、この積算値に基づいてセンサを用いることなく回収容器６９における満杯検知を行うものであっても良い。とにかく、回収容器６９における満杯検知方法は特に限定されるものではない。
【００６４】
上記回収容器６９は、回収したパンチ屑によって満杯になると該回収容器６９ごと廃棄され、新たな回収容器６９と交換されることが使用における前提となっている。このため、ユーザ側で、交換用の回収容器６９を保管しておくことが考えられるが、該回収容器６９を使用時の形状（箱形状）で保管使用とすると大きな保管スペースを要する。このため、交換用に保管される使用前の回収容器６９を展開された平面シートとして保管できるように、上記回収容器６９は組み立て式とすることが好ましく、特に接着剤等を用いないで組み立てることができれば、別材質が含まれない完全な分別ができるので好ましい。
【００６５】
また、上記回収容器６９を後処理装置３０にセットするとき、蓋部７０ａ，７０ｂは開放状態となっている。このため、パンチ装置の下方では、回収容器６９の蓋部７０ａ，７０ｂを開放した状態でセットできる収容スペースが形成されている。また、蓋部７０ａ，７０ｂを開放状態のまま保持するための保持部材が設けられていることが好ましい。尚、蓋部７０ａ，７０ｂを開放状態のまま保持するための保持部材は、それ専用の部材として設けられている必要は無く、装置のフレーム部分やシート搬送経路を構成する部材等が上記保持部材の役目を兼用するものであっても良い。
【００６６】
また、回収容器６９ａと回収容器６９ｂとは、切り替えガイド６７がパンチ屑を誘導する位置にしたがって、つまり、パンチ屑を誘導できる２つの地点間の距離に応じて、互いの距離が一定以下となるように配置されなければならない。この場合、回収容器６９ａ、６９ｂとが一体化した回収容器を配置しても良い。
【００６７】
また、本実施の形態では、発生頻度の高いパンチ屑の材質である紙のための回収容器６９ｂが、発生頻度の低いパンチ屑の材質である樹脂のための回収容器より、容量が大きい。これは、通常、パンチ屑のほとんどが紙材からなり、まれに樹脂からなる廃材が発生することとなると考えられるためである。そこで、パンチ装置に設置する場合は、回収容器を上記のようにすることで、限られた回収容器の設置スペース内で、より多くのパンチ屑を分別回収できるようになる。
【００６８】
〔実施の形態２〕
上記実施の形態１に係る回収容器６９のような箱形状の容器は、（組立て式とした場合の）組み立ての容易性や蓋部を閉じた場合の密閉性を得るために、比較的剛性の強い厚紙を用いて形成される必要がある。
【００６９】
一方で、上記回収容器６９は一回の使用で廃棄されるものであるため、ユーザの立場からは該回収容器６９にコストをかけることは好ましくない。しかしながら、回収容器６９に剛性の強い厚紙を用いることは回収容器６９の製作コスト面で不利となる。
【００７０】
さらには、実施の形態１の回収容器６９は、廃棄時の密閉性が得られ、かつ、閉じた蓋部７０ａ，７０ｂが再度開かないように、蓋部７０ａ，７０ｂの外縁に設けられた差込部を回収容器６９側壁に設けられた差込穴に差し込むなどの組み立て作業が必要となる（リサイクルを前提とする場合、テープやのり等の使用は好ましくないため）（図４参照）。このことは、ユーザに対して幾分繁雑な手間を要求することになる。
【００７１】
本実施の形態２に係る後処理装置３０は、使用する回収容器を低コストに製作できると共に、回収容器廃棄時のユーザの手間が低減できるにしたものである。
【００７２】
本実施の形態２おいては、図５に示すように、鉛直方向に延びた容積を有し、容量に対して開口面積の小さい袋状の回収容器４６が用いられる。このような袋状の回収容器４６は、満杯状態となって廃棄される時、上部開口付近を捻って閉じる、あるいは複数回折りたたむ等の簡単な作業で、容易に密閉状態を得ることができる。このため、回収容器廃棄時のユーザの手間を低減できる。
【００７３】
また、回収容器４６において上述のような密閉作業を行うためには、該回収容器４６に厚紙を用いる必要は無く、むしろ薄紙を用いることの方が好適である。このため、回収容器４６は、実施形態１に示した箱形状の回収容器６９よりも低コストに製作することが可能となる。
【００７４】
上記回収容器４６も実施の形態１における回収容器６９と同様、回収したパンチ屑によって満杯になると該回収容器４６ごと廃棄され、新たな回収容器４６と交換されるため、ユーザ側で交換用の回収容器４６を保管しておくことが考えられる。交換用に保管される使用前の回収容器４６は、平面状態で保管できるように折りたたみ式とすることが好ましい。
【００７５】
上記回収容器４６を後処理装置３０にセットするときは、該回収容器４６は容器載置台８２上に載置される。容器載置台８２は、実施の形態１と同様に、その側方の３方について側壁部を有し、１方については側壁を有しない開放状態とすることもできる。しかしながら、回収容器３３に比べて鉛直方向に延びた容積を有する回収容器４６では、３方のみの支えでは不安定となる可能性もある。このため、容器載置台８２では、側方の４方全てについて側壁部を有し、そのうちの１方（回収容器４６の交換を行う側）を開閉可能に構成してもよい。
【００７６】
また、上記回収容器４６を折りたたみ式とした場合、該回収容器４６を後処理装置３０にセットした際、その折り目によって開口部が狭くなることが無いように、回収容器４６の開口部が完全に開いた状態で保持できるようにすることが好ましい。そのためには、回収容器４６の開口部に図５に示すような開口保持部材８３を被せた状態で、該回収容器４６を後処理装置３０にセットすることが好適である。このとき開口保持部材８３はパンチ屑を飛散しないように回収容器４６内へ導く案内部材としても機能するようになっている。
【００７７】
また、回収容器４６における満杯検知方法は、実施の形態１と同様に、特に限定されるものではない。さらに、上記回収容器４６の形態でも、紙のパンチ屑のための容器としては紙製のものを、樹脂のパンチ屑のための容器としては樹脂製のものを用いることが好ましい。
【００７８】
〔実施の形態３〕
本実施の形態３では、後処理装置３０内のパンチ装置において発生するパンチ屑の回収部に本発明を適用した他の例を示す。
【００７９】
後処理装置３０内に具備されるパンチ装置は、図６右側の図面に示すように、ダイス３５，３６の間を紙面と垂直な方向に通過するシートに対してパンチ処理を施すものであり、ダイス３５，３６にはパンチ用孔３７が設けられており、各パンチ用孔３７に対してパンチ３８が設けられている。つまり、ダイス３５，３６の間にシートが存在している状態でパンチ３８を下降させることで、該シートに対してパンチ処理を施すことができる。
【００８０】
パンチ３８を上下動させる構成としては、偏心カム３９が用いられる。つまり、パンチ３８の上端に直接に接触あるいはスリーブ等を介して接触する偏心カム３９を一回転させることで、パンチ３８を上下に１往復させることができる。尚、図示はしていないが、パンチ３８はバネ等により上方に（偏心カム３９に接触する側に）付勢されている。偏心カム３９の回転駆動力はモータ４０によって与えられ、偏心カム３９の回転量はタイミング円盤４１およびセンサ４２によって検出される。
【００８１】
尚、パンチ装置におけるパンチ可能な穴数は限定されるものでない。また、パンチ穴形成位置をシートのセンター以外の位置にも設定できるものでは、沢山のパンチとダイスをシートの搬送方向に対して直行する方向に配置したり、移動可能としたりして使用者の要望に応えることができるようになっている。
【００８２】
上記パンチ装置において、シートに対してパンチ処理が施されるとパンチ屑が発生し、発生したパンチ屑はダイス３５のパンチ用孔３７から下方に落下される。このパンチ屑を回収するために、パンチ装置の下方に、ベルト搬送部４８を備えたパンチ屑搬送機構４７を配置している。上記パンチ屑搬送機構４７により搬送されたパンチ屑は、回収容器４６に回収される。
【００８３】
上記パンチ屑搬送機構４７は、上面が大きく開口された箱状容器４７ａ内部に、一対のローラ（通常、駆動ローラ５０と従動ローラ５１）間にベルトを架橋してなるベルト搬送部４８を備えた構成であり、パンチ装置において発生したパンチ屑はベルト搬送部４８によって受け止められる。ベルト搬送部４８は、モータ５２により駆動ローラ（ローラ）５０を回転させることによってベルトを駆動し、受け止めたパンチ屑をパンチ屑搬送機構４７の一方の端部まで搬送し落下させる。パンチ屑がどちらの端部に搬送されるかは、駆動ローラ５０の回転方向により決まる。すなわち、駆動ローラ５０が右回転（Ａ方向に回転）した場合は、パンチ屑が紙面右側の端部へ搬送され、駆動ローラ５０が左回転（Ｂ方向に回転）した場合は、パンチ屑が紙面左側の端部へ搬送される。そして、上記パンチ屑がベルト搬送部４８の端部まで搬送されると、ベルト搬送部４８から落下し、箱状容器４７ａの両端部下面に設けられた開口部４９ａあるいは４９ｂを通って、パンチ屑をパンチ屑搬送機構４７の外部に排出する。したがって、開口部４９ａ，４９ｂの直下にそれぞれ回収容器４６ａ，４６ｂを配置することで、該回収容器４６ａ，４６ｂにパンチ屑が回収される。
【００８４】
図６の左側に示す、図６右側の図面をＸ方向から見た図面（箱状容器４７ａの手前側の側面は取り除いてある）に従って説明すれば、矢印に示す方向に搬送されるシートに対してパンチ３８でパンチ穴を形成すると、パンチ用孔３７から下方に向けて落下したパンチ屑がベルト搬送部４８に受け止められ、ベルト搬送部４８の端部まで運ばれると、開口部４９から排出され、回収容器４６にて回収される。
【００８５】
この構成によれば、駆動ローラ５０の回転方向によって、パンチ屑が回収される回収容器４６が決定するので、使用するシートの材質に応じて駆動ローラ５０の回転方向を変えることで、パンチ屑の材質ごとに異なる回収容器４６に回収できる。例えば、モータ５２を制御して、紙シートが搬送された場合は駆動ローラ５０の回転方向がＡとなるようにし、樹脂シートが搬送されてきた場合は駆動ローラ５０の回転方向がＢとなるようにすれば、紙のパンチ屑が４６ａに、樹脂のパンチ屑が４６ｂに搬送されるので、パンチ屑を材質別に分別して回収できる。
【００８６】
なお、シートの材質に応じて駆動ローラ５０の回転方向を変更する方法としては、特に限定されるものではないが、操作部から送られる、使用するシートの種類や画像形成モードの設定情報に基づいて、制御部を介して駆動ローラ５０の回転方向を変更してもよい。あるいは、搬送路中等に設けられた図示しない材質判定手段（センサ）が基材の材質を判定し、判定された材質に基づいて、制御部を介して駆動ローラ５０の回転方向を決定することも考えられる。例えば、画像形成時に使用者がシートの材質または画像形成モード（ＯＨＰモード、普通紙モード等）を設定し、これに応じて材質判定手段が制御部を介して切り替えガイド６７の位置を決定し、位置を変更する方法や、搬送されるシートの材質をセンサ機能を有する材質判定手段により判定し、これに応じて切り替えガイド６７の位置を変更する方法などが挙げられる。
【００８７】
また、回収容器４６ａ、４６ｂとしては、実施の形態１や２に記載したものを使用でき、廃材と同じ材質の回収容器を設置することが好ましい。
【００８８】
また、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８９】
また、本発明は、以下の構成とすることもできる。
【００９０】
基となる材料である基材に加工を加えることで廃棄される廃材が発生し、本体装置に対して着脱自在に備えた回収容器に前記廃材を回収する回収装置を備えた装置において、
回収容器を複数備え発生する廃材を材質毎に分別回収することができるようにしたことを特徴とする回収装置。
【００９１】
回収装置は、使用する基材の選択に応じて廃材を夫々の対応する回収容器に回収するために、前記廃材を案内する案内手段により分別回収されることを特徴とする回収装置。
【００９２】
上記夫々の回収容器は、使用される夫々の基材と少なくともと同質の材料より形成されており、廃材は夫々同質材料にて形成された回収容器に夫々回収されることを特徴とする上記の回収装置。
【００９３】
上記基材は紙と樹脂であることを特徴とする上記の回収装置。
【００９４】
上記基材を回収する回収容器は夫々容量が異なり使用頻度が低いの廃材（樹脂）を回収する容器に比べ使用頻度が高い廃材（紙）を回収する容器の方が容量が多いことを特徴とする回収装置。
【００９５】
上記廃材はパンチ屑であることを特徴とする上記の回収装置。
【産業上の利用可能性】
【００９６】
シートに対してパンチ処理を行う機能を有する後処理装置またはこれを備えた画像形成装置おいて、パンチ屑を回収する回収装置が、回収物となる廃材を材料別に分別して回収できるので、地球環境への対応とユーザの利便性とを両立することができる。
【図面の簡単な説明】
【００９７】
【図１】本発明の実施形態を示すものであり、実施の形態１に係る後処理装置および回収装置の要部構成を示す図である。
【図２】本発明が適用される画像形成装置の構成例を示す断面図である。
【図３】上記画像形成装置の構成例を示す斜視図である。
【図４】実施の形態１に係る回収容器を示す斜視図である。
【図５】実施の形態２に係る回収容器を示す斜視図である。
【図６】実施の形態３に係る後処理装置および回収装置の要部構成を示す図である。
【符号の説明】
【００９８】
１    画像形成装置
２    プリント部
３０    後処理装置（本体装置）
４６ａ  回収容器
４６ｂ  回収容器
４７    パンチ屑搬送機構（分別手段、搬送部材）
５０    駆動ローラ（ローラ）
６０    パンチ装置
６７    切り替えガイド（分別手段、案内部材）
６９ａ  回収容器
６９ｂ  回収容器
８０    回収装置
【図１】
2005274622.tif 000003
【図２】
2005274622.tif 000004
【図３】
2005274622.tif 000005
【図４】
2005274622.tif 000006
【図５】
2005274622.tif 000007
【図６】
2005274622.tif 000008